(57)【特許請求の範囲】
【請求項１】
容器本体と、バルブ保持筒を具えたキャップと、該バルブ保持筒と共働してスリットバルブを挟持する中栓と、スリットバルブとからなり、スリットバルブを、キャップと中栓によって容器口筒部に取着した吐出容器であって、
前記スリットバルブのオリフィス形成壁には、切り込んだスリットの端部を囲んで環状の補強リブが形成され、
前記中栓は、その中央部にオリフィス形成壁に形成された環状の補強リブを被うよう遮蔽板が配設され、該遮蔽板の周囲に通路孔が穿設されていることを特徴とするスリットバルブを取着した注出容器。
【請求項２】
容器本体と、バルブ保持筒を具えたキャップと、該バルブ保持筒と共働してスリットバルブを挟持する中栓と、スリットバルブとからなり、スリットバルブを、キャップと中栓によって容器口筒部に取着した吐出容器であって、
前記スリットバルブのオリフィス形成壁には、切り込んだスリットの端部を囲んで環状の補強リブが形成され、
前記中栓は、その中央部に開孔が設けられ、開孔周辺に設けた複数の支柱の上端に、前記オリフィス形成壁に形成された環状に補強リブを被うよう遮蔽板を取着したことを特徴とするスリットバルブを取着した注出容器。
【発明の詳細な説明】
【０００１】
【発明の属する技術分野】
本発明は、スリットバルブを取着した内容物吐出容器、特に容器の口筒部にスリットバルブを中栓とキャップを介して取着した内容物吐出容器における中栓に関する。
【０００２】
【従来の技術】
容器口部に、弾性を有する柔軟な材料により成形されバルブヘッドのオリフィス成形壁にスリットを形成したスリットバルブを装着し、容器胴体を手で押圧することによってスリットバルブを開閉させ、所定量の内容物を吐出するようにした容器において、容器の収納時にオリフィス形成壁の表面に適合する突出面を設けた被せ蓋によってスリットバルブが妨動しないように被蓋するようにした注出容器は、従来より知られている。
【０００３】
【発明が解決しようとする課題】
しかしながら、従来の容器は、使用時に一定の内圧がかかるまでスリットが開かないようになっているが、被せ蓋を取った状態で誤って容器を倒すと、容器内の内容液がスリットバルブのオリフィス形成壁に衝突してスリットを押し開き、内容液が容器外に出るおそれがあった。
【０００４】
本発明は、上記の問題点を解決することを技術的課題として、中栓に遮蔽板を設け、オリフィス形成壁にかかる内容液の衝撃を押さえ、スリットが開かないようにした注出容器を提供することを目的とする。
【０００５】
【課題を解決するための手段】
本発明は、上記の問題点を解決するため、スリットバルブを取着した注出容器として、容器本体と、バルブ保持筒を具えたキャップと、該バルブ保持筒と共働してスリットバルブを挟持する中栓と、スリットバルブとからなり、スリットバルブを、キャップと中栓によって容器口筒部に取着した吐出容器であって、前記スリットバルブのオリフィス形成壁には、切り込んだスリットの端部を囲んで環状の補強リブが形成され、前記中栓は、その中央部にオリフィス形成壁に形成された環状の補強リブを被うよう遮蔽板が配設され、該遮蔽板の周囲に通路孔が穿設されていることを特徴とする構成を採用する。
【０００６】
中栓の構成を変更した実施形態として、容器本体と、バルブ保持筒を具えたキャップと、該バルブ保持筒と共働してスリットバルブを挟持する中栓と、スリットバルブとからなり、スリットバルブを、キャップと中栓によって容器口筒部に取着した吐出容器であって、前記スリットバルブのオリフィス形成壁には、切り込んだスリットの端部を囲んで環状の補強リブが形成され、前記中栓は、その中央部に開孔が設けられ、開孔周辺に設けた複数の支柱の上端に、前記オリフィス形成壁に形成された環状の補強リブを被うよう遮蔽板を取着したことを特徴とする構成を採用する。
【０００７】
【発明の実施の形態】
次に、本発明の第１実施形態について、図面を参照して説明する。
図１において、Ａは容器、Ｂはキャップ、Ｂ１はキャップ基体、Ｂ２はキャップ基体に被嵌される被せ蓋、Ｃはスリットバルブ、ＤはスリットバルブＣをキャップ内に装着する中栓である。
【０００８】
容器Ａは、口筒部１と胴部２および底部３とからなっており、可撓性を有する合成樹脂を素材として成形されている。
口筒部１は、その外周にキャップＢを嵌合するネジ４が形成されており、胴部２は楕円状に形成され、前記口筒部１に連続する肩部５と、対向する扁平面を押圧面６とした胴壁７とを有し、該胴壁７は押圧面６の押圧操作に応じて、形状変形、復元可能となっている。
容器Ａの内容物として、家庭用の洗剤、化粧料、食料等が、液体、粘性液、粘性流動物の形態で充填される。
【０００９】
図２，３に示すように、キャップＢは、キャップ基体Ｂ１と、該キャップ基体Ｂ１に嵌着される被せ蓋Ｂ２とからなり、合成樹脂によって成形されている。
キャツプ基体Ｂ１は、取付筒１０と、該取付筒１０の上壁１１上方に連接されたバルブ保持筒１２とを有している。
【００１０】
取付筒１０の内周には、容器口筒部１のネジ４に螺合するネジ１３が設けられており、上壁１１の内周縁には、口筒部１内周に嵌合される係合筒１４が垂設されている。
バルブ保持筒１２は、その内周が係合筒１４の内周より延びるよう上壁１１に連設され、係合筒１４上方の縮径部には、中間に係合溝１５を設けた中栓嵌合周面１６が形成されている。
該中栓嵌合周面１６の上には、さらに縮径されたバルブ保持周面１７が設けられ、その上方は、バルブ保持筒１２から内方に突出するバルブ押え壁１８となっている。
バルブ押え壁１８には、その内周縁１９に近接して被せ蓋Ｂ２を嵌着する嵌合筒２０が立設され、該嵌合筒２０の外周中間部には、膨出環２１が突設されている。
【００１１】
被せ蓋Ｂ２は、頂壁２２と側筒壁２３とからなり、頂壁２２下面の中央部には突出部２４が垂設され、突出部２４の表面は後述するスリットバルブＣのオリフィス形成壁の表面に係合する球面２５となっている。
突出部２４の外側の頂壁２２下面はオリフィス形成壁周縁に係合する押圧面となっており、その外側には前記嵌合筒２０の内周に係合する突出リング２６が垂設されている。
側筒壁２３は、上部外周を膨出させて摘み部とし、下部内周に前記嵌合筒２０の膨出環２１に係合する膨出環２７が設けられている。
【００１２】
図４に示すように、スリットバルブＣは、環状の基板３０と該基板３０の内周縁から立設されたバルブ筒壁３１とバルブ筒壁３１上端内周縁に連設されたオリフィス形成壁３２とからなり、シリコンゴム、エラストマー、軟質の合成樹脂によって成形されている。
基板３０は、その底面に断面台形の環状の係合溝３３が刻設されており、バルブ筒壁３１は、中間部から上部にかけて徐々に薄肉にされ、オリフィス形成壁３２の周縁３４に続いている。
【００１３】
オリフィス形成壁３２は、その外側表面３５が一定の半径を有する球面に形成され、壁面の厚さはほぼ一定としている。
オリフィス形成壁３２の中央には、十字形のスリット３６が切り込まれており、
スリット３６によって区分されたフラップ３７が形成されている。
オリフィス形成壁３２は、フラップ３７、該フラップ３７を囲む周辺部３８とからなり、フラップ３７の開閉によってオリフィスが形成されるのである。
オリフィス形成壁３２の裏面には、スリット端３６ａを囲んで補強リブ３９が環状に形成されている。
【００１４】
スリットの形状は、十字状に限定されるものでなく、スリット端３６ａが中心から同一であれば、一本のスリット、三本のスリットをＹ字状に配置したもの、三本のスリットを等角に交差配置したもの、四本のスリットを米字状に配置したものであってもよい。
スリット３６の切込み長さは、従来技術と同様に、内容物の粘度、一回毎に所望する吐出量、スリットバルブの材質、形状に応じて設定され、補強リブ３９については、場合によっては設けなくてもよい。
【００１５】
中栓Ｄは、円形の基板４０と、その周縁に垂設された側壁４１とを有しており、基板４０には、同一の円周上に配設された複数の弧状の通路孔４２が穿設されている。
基板４０は、弧状の通路孔４２によって内側と外側に分けられ、通路孔４２の内側は、連結部４３によって基板外側部４４に支持された円形の遮蔽板４５となっている。
基板外側部４４の上面には、スリットバルブＣの基板３０底面に刻設された環状の係合溝３３に係合する突出環４６が突設されている。
図６に示すよう前記遮蔽板４５の外径Ｘ１は、スリットバルブＣのスリット端３６ａを囲む円の直径Ｙ１より大きくなっており、通路孔４２の外周の円弧の直径Ｘ２は、バルブ筒壁３１の内径とほぼ一致させている。
【００１６】
側壁４１の外周面４７は、キャップ基体Ｂ１の中栓嵌合周面１６に一定の締め代をもって嵌着するようにしており、中間部には、係合溝１５に嵌合する係止環４８が突設されている。
【００１７】
次に、容器ＡへのスリットバルブＣの取着について説明する。
まず、スリットバルブＣをキャップ基体Ｂ１のバルブ保持筒１２内に嵌挿し、次いで、中栓Ｄをキャップ基体Ｂ１に嵌着するとスリットバルブＣがキャップ基体Ｂ１に取着される。
次に、スリットバルブＣを取着したキャップＢを容器Ａの口筒部１に螺着することによって、吐出容器が組み立てられる。
【００１８】
その際、図６に示すように、中栓Ｄ上面の突出環４６がスリットバルブＣ基板３０の底面の係合溝３３に嵌合され、中栓Ｄの側壁４１の外周面４７がキャップＢの中栓嵌合周面１６に嵌合され、係止環４８が係合溝１５に係止され、スリットバルブＣの基板３０がバルブ保持筒１２のバルブ保持周面１７、バルブ押え壁１８内に位置決めして締着される。
【００１９】
次に、吐出容器の使用態様と作用効果について説明する。
容器の使用にあたっては、まずキャップＢの被せ蓋Ｂ２を開いて、スリットバルブＣのオリフィス形成壁３２を露出させ、容器Ａの胴壁７の押圧面６を手で押圧すると、容器Ａ内の内圧の増加とともにオリフィス形成壁３２が上昇し、内圧が一定圧に達するとオリフィス形成壁３２の表面が平らな状態になり、さらに加圧されるとフラップ３７が開いてオリフィスが形成され、内容物が吐出される。
【００２０】
押圧を解くと、容器自体の復元力によって容器Ａが元の状態に復帰し、その際内圧が低下するので、オリフィス形成壁３２は元の状態に復元するとともにフラップ３７が内側方向に開かれ大気が導入される。
内圧が大気圧に等しくなるとフラップ３７が閉じられ、内容物の密封が維持される。
【００２１】
使用中に、被せ蓋Ｂ２の開蓋時に吐出容器が倒れると、内容液が衝動的に流動する。
しかし、中心部分の流れは中栓Ｄの遮蔽板４５に遮られ、通路孔４２からスリットバルブＣ内に流入するが、その主流は、オリフィス形成壁３２のフラップ３７の周辺部３８に衝突するとともにスリットバルブＣ内の内圧を高めることになるが、容器Ａ内全体の内圧は変化しないので、スリットバルブＣ内の液圧はフラップ３７を開くまで上昇しない。
したがって、容器Ａが倒れてもスリットから内容液は出ない。
【００２２】
所望量の内容物を吐出し容器を使用しないときには、被せ蓋Ｂ２を閉じて置く。
被せ蓋Ｂ２の閉鎖時には、被せ蓋Ｂ２の押圧面がオリフィス形成壁３２の周縁３４を押圧し、同時に突出部２４の球面２５が外側表面３５の周辺部３８に接合するので、スリットバルブＣの上昇とオリフィス形成壁３２の妄動が阻止される。
さらにまた、突出リング２６が嵌合筒２０の内周に嵌合し、内部が密封されるので、吐出容器を落としたり、必要に応じて容器を振ったりした時に、内容物のウォーターハンマー現象が起こっても、スリットバルブＣからの液洩れを防ぐことができる。
【００２３】
次に、第２実施形態について図面を参照して説明する。
第２実施形態は、中栓の構成を変更したもので、容器、キャップ、スリットバルブの構成は変わらず、また吐出容器としての使用態様、作用効果も同一であるので説明を省略する。
図７，８に示すように、第２実施形態の中栓Ｄａは、基板５０とその周縁から垂設された側壁５１とからなり、基板５０の中央部には、円形の開孔５２が穿設されている。
開孔５２の内周面に沿って、一定の間隔をおいて複数の支柱５３が立設されており、支柱５３の上端には、円形の遮蔽板５４が架設されている。
遮蔽板５４は、スリットバルブＣのオリフィス形成壁３２に近接して配設されており、その直径Ｘ１ａは、スリット端３６ａの円の直径Ｙ１ａより大きくしている。
【００２４】
基板５０の上面には、スリットバルブＣの基板３０底面の係合溝３３に係合する突出環５５が突設され、側壁５１の周面は、キャップＢの中栓嵌合周面１６に係合する外周面５６となっており、その中間部には、係止環５７が突設されている。
【００２５】
上記突出環５５および側壁５１は、前記実施形態と同様であり、スリットバルブＣは中栓Ｄａを介してキャップ基体Ｂ１に位置決めして取着され、キャップＢを容器Ａの口筒部１に螺着することによって、吐出容器が組み立てられる。
【００２６】
次に、遮蔽板５４の作用効果について説明すると、使用中に、被せ蓋Ｂ２の開蓋時に吐出容器が倒れると、開孔５２を流れる内容液の中心部分が遮蔽板５４に衝突して横方向に流動し、スリットバルブＣのバルブ筒壁３１に衝突するとともに、スリットバルブＣ内の内圧を高めることになるが、第１実施形態と同様に容器Ａ内全体の内圧は変化しないので、スリットバルブＣ内の液圧はフラップ３７を開くまで上昇しない。
したがって、容器Ａが倒れてもスリットから内容液は出ない。
【００２７】
【発明の効果】
本発明は、上記のように構成されているから、次の効果を奏する。
吐出容器の使用中にキャップの被せ蓋を開いた状態で、吐出容器を誤って倒しても、内容液の流動は中栓の遮蔽板により遮られる。
そのためスリットバルブのオリフイス形成壁に掛かる衝撃が抑えられるとともに、オリフイス形成壁内の内圧上昇が抑えられ、オリフイス形成壁のスリットは開じられた状態に維持されるので、内容液は出ない。
【図面の簡単な説明】
【図１】  本発明の注出容器の一部断面正面図である。
【図２】  被せ蓋を取り外した注出容器の平面図である。
【図３】  キャップの説明図で、（ａ）は被せ蓋の一部断面正面図、（ｂ）はキャップ基体の一部断面正面図である。
【図４】  スリットバルブの説明図で、（ａ）は平面図、（ｂ）は断面正面図、（ｃ）は底面図である。
【図５】  中栓の説明図で、（ａ）は平面図、（ｂ）は一部断面正面図である。
【図６】  キャップとスリットバルブ、中栓の関係を示す図で、被せ蓋の開蓋時の説明図である。
【図７】  第２実施形態の中栓の説明図で、（ａ）は平面図、（ｂ）は一部断面正面図、（ｃ）は底面図である。
【図８】  キャップとスリットバルブの関係を示す図で、被せ蓋の開蓋時の説明図である。
【符号の説明】
Ａ            容器
Ｂ            キャップ
Ｂ１          キャップ基体
Ｂ２          被せ蓋
Ｃ            スリットバルブ
Ｄ，Ｄａ      中栓
Ｘ１，Ｘ１ａ  外径
Ｙ１，Ｙ１ａ  直径
１            口筒部
２            胴部
１０            取付筒
１２            バルブ保持筒
１４            係合筒
１５            係合溝
１６            中栓係合周面
１７            バルブ保持周面
１８            バルブ押え壁
２０            嵌合筒
２２            頂壁
２３            側筒壁
２４            突出部
２５            球面
２６            突出リング
３０            基板
３１            バルブ筒壁
３２            オリフィス形成壁
３６            スリット
３６ａ          スリット端
３７            フラップ
３８            周辺部
４０，５０      基板
４１，５１      側壁
４２            通路孔
４３            連結部
４４            基板外側部
４５，５４      遮蔽板
４６，５５      突出環
４７，５６      外周面
４８，５７      係止環
５２            開孔
５３            支柱
【図１】
0003782235.tif 000002
【図２】
0003782235.tif 000003
【図３】
0003782235.tif 000004
【図４】
0003782235.tif 000005
【図５】
0003782235.tif 000006
【図６】
0003782235.tif 000007
【図７】
0003782235.tif 000008
【図８】
0003782235.tif 000009